(57)【要約】【課題】互いに異なる複数の視点用の一連の画像を交互に連続して見る場合における、映像のチラつきを抑制する。【解決手段】表示装置（１）は、左目用画像に含まれる第１画像を表示する場合、及び、第１画像に対応する画像であって、右目用画像に含まれる第２画像を表示する場合の双方において、バックライト（２０）の複数のエリアのうち、第１画像及び第２画像の少なくとも何れかの画像における最大輝度の位置に対応するエリアと、当該エリアに対して横方向に配置されたエリアとを、上記最大輝度に対応する明るさにて発光させるバックライト制御部（１２）を備える。【選択図】図１
2018113655.tif 000002
【特許請求の範囲】
【請求項１】
第１視点用の一連の画像及び第２視点用の一連の画像を交互に表示することによって立体視可能な動画像を表示する表示装置において、
複数のエリアから構成され、当該複数のエリアの明るさを個別に制御可能なバックライトと、
上記バックライトを制御するバックライト制御部と
を備え、
上記バックライト制御部は、
上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させる
ことを特徴とする表示装置。
【請求項２】
上記バックライト制御部は、
上記複数のエリアのうち、上記最大輝度の位置に対応するエリアと当該エリアに対して横方向に配置されたエリアとを含む１行分のエリアとは異なる１行分のエリアの明るさを、当該異なる１行における、上記第１の対象画像及び上記第２の対象画像の少なくとも何れかの最大輝度に対応する明るさにて発光させる
ことを特徴とする請求項１に記載の表示装置。
【請求項３】
上記バックライト制御部は、
上記複数のエリアのうち、上記最大輝度の位置に対応するエリアと当該エリアに対して横方向に配置されたエリアとを含む１行分のエリアとは異なる１行に含まれる各エリアの明るさを、当該エリアに対応する位置における画像の輝度に応じて設定する
ことを特徴とする請求項１に記載の表示装置。
【請求項４】
ユーザからの操作を受け付けるユーザ操作受付部を更に備え、
上記バックライト制御部は、上記ユーザ操作に応じて、
上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させる
ことを特徴とする請求項１から３の何れか１項に記載の表示装置。
【請求項５】
ユーザが３Ｄメガネを装着しているか否かを判別する判別部を更に備え、
上記バックライト制御部は、上記判別部による判別結果に応じて、
上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させる
ことを特徴とする請求項１から３の何れか１項に記載の表示装置。
【請求項６】
上記判別部は、上記３Ｄメガネが上記動画像を立体視可能なオン状態と、上記動画像を立体視不可能なオフ状態とのいずれの状態であるかを示す信号を参照して上記ユーザが上記３Ｄメガネを装着しているか否かを判別する
ことを特徴とする請求項５に記載の表示装置。
【請求項７】
上記判別部は、上記ユーザの画像を参照して上記ユーザが上記３Ｄメガネを装着しているか否かを判別する
ことを特徴とする請求項５に記載の表示装置。
【請求項８】
上記第１視点用の一連の画像及び上記第２視点用の一連の画像は、ＨＤＲ（HighDynamic Range）規格に準拠した画像である
ことを特徴とする請求項１から７の何れか１項に記載の表示装置。
【請求項９】
請求項１〜８の何れか１項に記載の表示装置を備えている
ことを特徴とするテレビジョン受像機。
【請求項１０】
第１視点用の一連の画像及び第２視点用の一連の画像を交互に表示することによって立体視可能な動画像を表示する表示方法において、
上記第１視点用の一連の画像に含まれる第１の対象画像を表示する場合、及び、当該対象画像に対応する画像であって、上記第２視点用の一連の画像に含まれる第２の対象画像を表示する場合の双方において、表示装置が備えるバックライトを構成する複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させるステップを含む
ことを特徴とする表示方法。
【請求項１１】
請求項１に記載の表示装置としてコンピュータを機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、立体映像を表示する表示装置などに関する。
【背景技術】
【０００２】
近年、立体映像（以下、３Ｄ（3-Dimension）映像と称する）を表示するテレビジョン技術が開発され、実現されている。この種の３Ｄ技術としては、フレームパッキング（Frame Packing）方式、サイドバイサイド（Side By Side）方式、及びトップアンドボトム（Top And Bottom）方式が知られている。
【０００３】
フレームパッキング方式は、左目用の映像信号（Ｌ用映像信号）と右目用の映像信号（Ｒ用映像信号）とを交互に送信し、テレビジョン受信機（以下、単にＴＶ受信機と称する）において、それら両映像信号を交互に表示するものである。
【０００４】
サイドバイサイド方式は、ＴＶ受信機の画面を左右に２分割するＬ用映像信号とＲ用映像信号とを使用するものである。具体的には、ＴＶ受信機において画面を左右に２分割し、Ｌ用映像信号とＲ用映像信号とを引き伸ばして交互に表示する。
【０００５】
トップアンドボトム方式は、ＴＶ受信機の画面を上下に２分割するTop用映像信号とBottom用映像信号とを使用するものである。具体的には、ＴＶ受信機において画面を上下に２分割し、Top用映像信号とBottom用映像信号とを引き伸ばして交互に表示する。
【０００６】
いずれの場合においても、３Ｄ映像を表示する時には、Ｌ用映像信号とＲ用映像信号とが交互に画面に表示される。画面の表示と３Ｄメガネとを連動させて、Ｌ用映像信号を左目のみ、Ｒ用映像信号を右目のみで見えるようにすることで、３Ｄ映像を見ることが可能になる。３Ｄメガネの主な例としては、液晶シャッターメガネが挙げられる。
【０００７】
一方、表示装置の表示領域を複数のエリアに区画し、エリアごとにバックライトの明るさを制御する、ローカルディミングと呼ばれる技術が開発されている。ローカルディミングによれば、表示画像において輝度の高い部分に対応するエリアを明るくし、輝度の低い部分に対応するエリアを暗くする。これにより、バックライトの消費電力を低減できるとともに、映像のコントラストを向上させることができる。
【０００８】
ところで、映像の隣接するフレーム間での、バックライトの明るさの変動が大きいと、映像にチラつきが発生する。チラつきを抑制する方法としては、上記の明るさの変動が小さくなるように当該明るさを調整することが挙げられる。
【０００９】
しかし、３Ｄ映像においては、隣接するフレームは、互いに異なるＬ用映像信号またはＲ用映像信号のフレームである。このため、３Ｄ映像においては、隣接するフレーム間での明るさの変動が小さくなるように調整することは適切ではない。
【００１０】
特許文献１には、ローカルディミングを行う表示装置により３Ｄ映像を表示する場合において、チラつきを低減し、かつ高コントラストを実現する技術が開示されている。当該技術においては、まず、処理対象の視差画像（Ｌ用映像信号またはＲ用映像信号の、あるフレーム）の画素値に基づいて、光源（バックライト）の第１の強度を求める。次に、処理対象の視差画像と同じ視点であり、処理対象の視差画像より前に表示される映像信号における光源強度と、第１の強度との変動が小さくなるように当該第１の強度を補正する。
【先行技術文献】
【特許文献】
【００１１】
【特許文献１】ＷＯ２０１１／０１３１７５号公報（２０１１年２月３日公開）
【発明の概要】
【発明が解決しようとする課題】
【００１２】
しかしながら、３Ｄメガネを装着していない人物が３Ｄ映像を見る場合、その人物は、Ｌ用映像信号及びＲ用映像信号を、交互に連続して見ることとなる。特許文献１に開示されている技術では、３Ｄメガネを装着していない人物に対するチラつきは低減されない。このことについて以下に説明する。
【００１３】
３Ｄ映像を表示する表示装置がローカルディミングを行う場合において、
（ｉ）画像の輝度が周囲の領域と比較して高く、かつ、
（ｉｉ）当該画像がＬ用映像信号とＲ用映像信号とで、上記複数の領域のうち互いに異なる領域に表示される、
といった場合には、バックライトが明るい領域が、３Ｄ映像のフレームごとに変化することとなる。３Ｄ映像を表示する表示装置において、視聴者の手前側に見えるように表示される物体の画像の、画面上における表示位置は、Ｌ用映像信号とＲ用映像信号とで大きく異なる。したがって、視聴者の手前側に見えるように表示される、輝度の高い物体の画像が３Ｄ映像に含まれている場合、上記の人物は激しく明滅する光を目にすることとなる。
【００１４】
また、表示画質を高画質化する技術の１つとして、ＨＤＲ（High DynamicRange）技術がある。ＨＤＲ技術において用いられるＨＤＲ信号は、１００００ｎｉｔ（ｃｄ／ｍ２）程度の輝度情報を持つことができる。このため、ＨＤＲ技術を用いることにより、画像の高輝度・高コントラスト化が可能となり、映像の迫力を増大させることが可能となる。例えば、Blu-ray（登録商標） DiscではＨＤＲ技術が採用されている。
【００１５】
このようなＨＤＲ技術を３Ｄ映像に適用した場合、輝度情報の上限が高くなることで、上述した、３Ｄメガネを装着していない人物が目にする明滅が更に激しくなる虞がある。このため、現在実用化されている、３Ｄ映像を表示可能な表示装置においては、３Ｄ映像を表示する場合にはＨＤＲ技術を適用しないなどの対策が取られている。
【００１６】
本発明の一態様は、互いに異なる複数の視点用の一連の画像を交互に連続して見る場合における、映像のチラつきを抑制することを目的とする。
【課題を解決するための手段】
【００１７】
上記の課題を解決するために、本発明の一態様に係る表示装置は、第１視点用の一連の画像及び第２視点用の一連の画像を交互に表示することによって立体視可能な動画像を表示する表示装置において、複数のエリアから構成され、当該複数のエリアの明るさを個別に制御可能なバックライトと、上記バックライトを制御するバックライト制御部と備え、上記バックライト制御部は、上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させる。
【００１８】
また、本発明の一態様に係る表示方法は、複数のエリアから構成され、当該複数のエリアの明るさを個別に制御可能なバックライトを備える表示装置によって、第１視点用の一連の画像及び第２視点用の一連の画像を交互に表示することによって立体視可能な動画像を表示する表示方法において、上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させるステップを含む。
【発明の効果】
【００１９】
本発明の一態様に係る表示装置及び表示方法によれば、互いに異なる複数の視点用の一連の画像を交互に連続して見る場合における、映像のチラつきを抑制することができる。
【図面の簡単な説明】
【００２０】
【図１】実施形態１に係る表示装置の構成を示すブロック図である。
【図２】実施形態１に係る液晶テレビの外観を示す図である。
【図３】（ａ）は、バックライトにおける複数のエリアの一例を示す図であり、（ｂ）は、液晶パネルに表示される左目用画像の例を示す図であり、（ｃ）は、液晶パネルに表示される右目用画像の例を示す図であり、（ｄ）は、（ｂ）に示した左目用画像に対応する、一般的な制御によるバックライトの各エリアの明るさを示す図であり、（ｅ）は、（ｃ）に示した右目用画像に対応する、一般的な制御によるバックライトの各エリアの明るさを示す図である。
【図４】実施形態１に係るバックライト制御部の構成を示すブロック図である。
【図５】実施形態１に係るバックライト制御部における処理の流れを示すフローチャートである。
【図６】実施形態１に係る表示装置が３Ｄ映像を表示する場合における、バックライト制御部による制御の例を示す図である。
【図７】実施形態２に係るバックライト制御部の構成を示すブロック図である。
【図８】実施形態２に係るバックライト制御部における処理の流れを示すフローチャートである。
【図９】実施形態３に係るバックライト制御部の構成を示すブロック図である。
【図１０】実施形態３に係るバックライト制御部における処理の流れを示すフローチャートである。
【図１１】実施形態４に係るバックライト制御部の構成を示すブロック図である。
【発明を実施するための形態】
【００２１】
〔実施形態１〕
以下、本発明の実施の形態について、図１〜図６を参照して詳細に説明する。
【００２２】
（液晶テレビ１００の構成）
図２は、本実施形態に係る液晶テレビ（テレビジョン受像機）１００の外観を示す図である。液晶テレビ１００は、表示装置１及びチューナ（不図示）を備える。表示装置１は、左目用画像（第１視点用の一連の画像）及び右目用画像（第２視点用の一連の画像）を交互に表示することによって立体視可能な動画像を表示する表示装置である。表示装置１が表示する動画像は、例えばＨＤＲ規格に準拠した動画像であってよい。
【００２３】
図１は、本実施形態に係る表示装置１の構成を示すブロック図である。図１に示すように、表示装置１は、液晶パネル１０と、バックライト２０と、表示制御部１１と、バックライト制御部１２とを備える。
【００２４】
液晶パネル１０は、複数の走査ラインを備えている。各走査ラインは複数の画素を備えている。走査ラインの本数及び各走査ラインにおける画素の個数は本実施形態を限定するものではない。例えば、所謂４Ｋテレビとして液晶テレビ１００を実現する場合、走査ラインの本数は２１６０本であり、各走査ラインにおける画素の数は３８４０個である。
【００２５】
液晶パネル１０は、図１に示すように、矩形の表示領域を有する。以下の説明では、液晶パネル１０の長手方向を横方向、短手方向を縦方向と称する。横方向は、ユーザが液晶テレビ１００を視聴する場合において想定される、両目の間を結ぶ方向と一致する。なお、本発明の一態様においては、表示領域は矩形以外の形状を有していてもよい。
【００２６】
バックライト２０は、液晶パネル１０に対して光を照射する、直下型のバックライトである。バックライト２０は、複数のエリアから構成され、当該複数のエリアの明るさを個別に制御可能に構成されている。具体的には、バックライト２０は、エリア毎に少なくとも１つの光源（例えばＬＥＤ（Light Emitting Diode））を備えている。各光源の点灯タイミング及び光量は、バックライト制御部１２によって制御される。以下の説明では、バックライト２０が備える光源がＬＥＤであるとして説明する。ただし、本発明の一態様において、バックライト２０は、ＬＥＤ以外の光源を備えていてもよい。
【００２７】
図３の（ａ）は、バックライト２０における複数のエリアの一例を示す図である。図３の（ａ）に示す例では、バックライト２０は、縦に５行、横に５列の、同一の矩形形状を有する合計２５のエリアから構成されている。なお、バックライト２０は、２５とは異なる数のエリアから構成されていてもよい。また、各エリアの形状は、矩形形状でなくてもよく、また互いに異なっていてもよい。
【００２８】
図３の（ｂ）は、液晶パネル１０に表示される左目用画像の例を示す図である。図３の（ｃ）は、液晶パネル１０に表示される右目用画像の例を示す図である。図３の（ｄ）は、図３の（ｂ）に示した左目用画像に対応する、一般的な制御によるバックライト２０の各エリアの明るさを示す図である。図３の（ｅ）は、図３の（ｃ）に示した右目用画像に対応する、一般的な制御によるバックライト２０の各エリアの明るさを示す図である。
【００２９】
図３の（ｂ）及び（ｃ）は、薄暗い室内における、火がついたロウソクの画像を示している。図３の（ｂ）及び（ｃ）に示す画像においては、ロウソクの火の部分の輝度が最も高く、ロウソクの本体の部分の輝度が次に高い。それ以外の部分の輝度は、ロウソクの火及び本体の部分の輝度と比較して低くなっている。
【００３０】
図３の（ｂ）に示した左目用画像が液晶パネル１０に表示される場合、一般的な制御によれば、図３の（ｄ）に示すバックライト２０において、ロウソクの火の部分に対応するエリアＡ１が最も明るく発光する。また、ロウソクの本体の部分に対応するエリアＡ２が、エリアＡ１の次に明るく発光する。エリアＡ１及びＡ２以外のエリアは、エリアＡ１及びＡ２よりも暗く発光する。
【００３１】
同様に、図３の（ｃ）に示した右目用画像が液晶パネル１０に表示される場合、一般的な制御によれば、図３の（ｅ）に示すバックライト２０において、ロウソクの火の部分に対応するエリアＡ３が最も明るく発光する。また、ロウソクの本体の部分に対応するエリアＡ４が、エリアＡ３の次に明るく発光する。エリアＡ３及びＡ４以外のエリアは、エリアＡ３及びＡ４よりも暗く発光する。
【００３２】
表示制御部１１は、入力される映像信号に基づき、液晶パネル１０が有する走査ライン毎に順次画像の書き込みを行う。ここで画像の書き込みとは、各走査ラインにおける画素に対して、当該画素における画像に対応したデータ信号を供給することを指す。
【００３３】
バックライト制御部１２は、バックライト２０を制御する。具体的には、バックライト制御部１２は、バックライト２０が有する各光源の点灯タイミング及び点灯周期等を制御する。
【００３４】
（バックライト制御部１２の構成）
図４は、バックライト制御部１２の構成を示すブロック図である。図４に示すように、バックライト制御部１２は、点灯制御部５、電流算出部６、デューティ比算出部７、ＬＥＤコントローラ８、及び複数のＬＥＤドライバ９を備えている。
【００３５】
点灯制御部５は、映像信号を参照し、バックライト２０を構成する各エリアにおけるバックライト２０の点灯周期を設定する。また、点灯制御部５は、表示制御部１１から供給される、各走査ラインの書き込みタイミングを示す書き込みタイミング信号を参照し、各エリアにおけるバックライト２０の点灯タイミングを設定する。
【００３６】
また、点灯制御部５は、入力される映像信号が３Ｄ映像の映像信号であるか判定する。入力される映像信号が３Ｄ映像の映像信号である場合には、点灯制御部５は、左目用画像に含まれる第１画像（第１の対象画像）、及び、第１画像に対応する画像であって、右目用画像に含まれる第２画像（第２の対象画像）のそれぞれについて、最大輝度の位置に対応するエリアを特定する。そして、第１画像を表示する場合、及び第２画像を表示する場合の双方において、点灯制御部５は、第１画像及び第２画像の少なくとも何れかの画像における最大輝度の位置に対応するエリアに対して横方向に配置されたエリアのＬＥＤの点灯周期を、上記最大輝度に対応するエリアの点灯周期と同じに設定する。ここで、各ＬＥＤの明るさは、上記点灯周期に応じて変化する。本実施形態では、各ＬＥＤは、点灯周期が同じであれば同じ明るさにて発光するよう構成されている。したがって、上記の構成により、点灯制御部５は、上記最大輝度の位置に対応するエリアにおけるＬＥＤの明るさと、当該エリアに対して横方向に配置されたエリアにおけるＬＥＤの明るさとを同じに設定する。
【００３７】
更に、点灯制御部５は、第１画像及び第２画像のそれぞれについて、上記最大輝度の位置に対応するエリアと、当該エリアに対して横方向に配置されたエリアとを含む行とは異なる行における、当該行の最大輝度に対応するエリアを特定する。点灯制御部５は、上記行に含まれる各エリアについて、当該行における第１画像及び上記第２画像の少なくとも何れかの最大輝度に対応するエリアの点灯周期と同じに設定する。
【００３８】
点灯制御部５は、エリアごとのバックライト２０の点灯周期及び点灯タイミングを示す信号を、電流算出部６、デューティ比算出部７、及びＬＥＤコントローラ８に出力する。
【００３９】
電流算出部６は、点灯制御部５からエリアごとのバックライト２０の点灯周期及び点灯タイミングを取得し、当該点灯周期及び点灯タイミングを参照して、エリアごとのバックライト２０の電流値を算出する。ここで言う「電流値」とは、電流のパルス波形における高さのことであり、エリアごとに異なる。電流算出部６は、エリアごとのバックライト２０の電流値を、デューティ比算出部７及びＬＥＤコントローラ８に出力する。
【００４０】
デューティ比算出部７は、点灯制御部５からエリアごとのバックライト２０の点灯周期及び点灯タイミングを取得し、電流算出部６からエリアごとのバックライト２０の電流値を取得する。デューティ比算出部７は、当該点灯周期、当該点灯タイミング、及び、当該電流値を参照して、エリアごとのバックライト２０のデューティ比を算出する。ここで言う「デューティ比」とは、電流のパルス波形におけるパルス幅の割合のことであり、エリアごとに異なる。１００％のパルス幅は、予め決められている。デューティ比算出部７は、エリアごとのバックライト２０のデューティ比をＬＥＤコントローラ８に出力する。
【００４１】
ＬＥＤコントローラ８は、点灯制御部５からエリアごとのバックライト２０の点灯周期、及び点灯タイミングを取得する。さらに、ＬＥＤコントローラ８は、電流算出部６からエリアごとのバックライト２０の電流値を取得し、デューティ比算出部７からエリアごとのバックライト２０のデューティ比を取得する。ＬＥＤコントローラ８は、当該点灯周期、当該点灯タイミング、当該電流値、及び、当該デューティ比を参照して、ＬＥＤドライバ９に供給するための駆動信号を生成する。
【００４２】
ＬＥＤドライバ９は、バックライト２０のエリアごとにＬＥＤコントローラ８から提供された駆動信号に基づき、エリアごとのＬＥＤを駆動する。
【００４３】
バックライト制御部１２は、以上の構成により、入力される映像信号が３Ｄ映像の映像信号である場合には以下の通り動作する。すなわち、バックライト制御部１２は、第１画像を表示する場合、及び第２画像を表示する場合の双方において、バックライト２０を構成する複数のエリアのうち、第１画像及び第２画像の少なくとも何れかの画像における最大輝度の位置に対応するエリアと、当該エリアに対して横方向に配置されたエリアとを、上記最大輝度に対応する明るさにて発光させる。また、バックライト制御部１２は、バックライト２０を構成する複数のエリアのうち、上記最大輝度の位置に対応するエリアと当該エリアに対して横方向に配置されたエリアとを含む１行分のエリアとは異なる１行分のエリアの明るさを、当該異なる１行における、上記第１画像及び上記第２画像の少なくとも何れかの最大輝度に対応する明るさにて発光させる。なお、バックライト２０のエリアごとの明るさは、当該エリアにおけるＬＥＤの点灯周期、電流値、及びデューティ比によって決定される。
【００４４】
（バックライト制御部１２における処理）
図５は、バックライト制御部１２における処理の流れを示すフローチャートである。図５に示すように、バックライト制御部１２において、点灯制御部５は、映像信号を参照し、バックライト２０を構成する各エリアにおけるバックライト２０の点灯周期及び点灯タイミングを設定する。（Ｓ１）。次に、点灯制御部５は、映像信号が３Ｄ映像の映像信号であるか判定する（Ｓ２）。
【００４５】
映像信号が３Ｄ映像の映像信号である場合（Ｓ２でＹＥＳ）、点灯制御部５は、第１画像及び第２画像それぞれについて、最大輝度の位置に対応するエリアを特定する（Ｓ３）。そして、第１画像を表示する場合、及び第２画像を表示する場合の双方において、点灯制御部５は、第１画像及び第２画像の少なくとも何れかの画像における最大輝度の位置に対応するエリアに対して横方向に配置されたエリアにおけるＬＥＤの点灯周期を、上記最大輝度に対応するエリアにおけるＬＥＤの点灯周期と同じに設定する（Ｓ４）。
【００４６】
更に、点灯制御部５は、最大輝度の位置に対応するエリアを含む行以外の行のそれぞれについて、当該行の最大輝度に対応するエリアを特定する（Ｓ５）。点灯制御部５は、特定したエリアに対して横方向に配置されたエリアにおけるＬＥＤの点灯周期を、特定したエリアにおけるＬＥＤの点灯周期と同じに設定する（Ｓ６）。
【００４７】
電流算出部６は、エリアごとのバックライト２０の点灯周期及び点灯タイミングを参照して、エリアごとのバックライト２０の電流値を算出する（Ｓ７）。デューティ比算出部７は、エリアごとのバックライト２０の点灯周期、点灯タイミング、及び電流値を参照して、エリアごとのバックライト２０のデューティ比を算出する（Ｓ８）。ＬＥＤコントローラ８は、エリアごとのバックライト２０の点灯周期、点灯タイミング、電流値、及びデューティ比を参照して、ＬＥＤドライバ９に供給するための駆動信号を生成する（Ｓ９）。ＬＥＤドライバ９は、ＬＥＤコントローラ８が生成した駆動信号に基づき、エリアごとのＬＥＤを駆動する（Ｓ１０）。
【００４８】
一方、映像信号が３Ｄ映像の映像信号でない場合（Ｓ２でＮＯ）、点灯制御部５は、ステップＳ３〜Ｓ６の処理をスキップする。この場合、電流算出部６、デューティ比算出部７、ＬＥＤコントローラ８、及びＬＥＤドライバ９はそれぞれ、各エリアに対応する映像信号の輝度に基づいて設定された、バックライト２０の点灯周期などに基づいて、ステップＳ７〜Ｓ１０の処理を実行する。
【００４９】
なお、図５に示したフローチャートでは、点灯制御部５は、各エリアにおけるバックライト２０の点灯周期及び点灯タイミングを設定し、その後に映像信号が３Ｄ映像のものであるか判定している。しかし、点灯制御部５は、映像信号が３Ｄ映像のものであるかを先に判定し、その後に各エリアにおけるバックライト２０の点灯周期及び点灯タイミングを設定してもよい。
【００５０】
（効果）
図６は、表示装置１が３Ｄ映像を表示する場合における、バックライト制御部１２による制御の例を示す図である。図６に示す例では、表示装置１は、ユーザの手前側に三角錐台状の物体を表示している。このとき、液晶パネル１０に表示される第１画像及び第２画像はそれぞれ、上記物体の画像ＰＬ及びＰＲを含む。物体の画像ＰＬ及びＰＲはそれぞれ、一部に第１画像または第２画像における最大輝度を示す領域ＰＬＨまたはＰＲＨを有する。領域ＰＬＨ及びＰＲＨは、液晶パネル１０上における表示位置が横方向に大きく異なる。
【００５１】
また、図６に示す例では、バックライト２０を構成するエリアは、行Ｌ１〜Ｌ５までの５つの行に分かれている。領域ＰＬＨ及びＰＲＨはいずれも、行Ｌ４に含まれるエリアのいずれかに対応する。
【００５２】
このような場合、バックライト制御部１２は、領域ＰＬＨ及びＰＲＨに対応するバックライト２０のエリア、並びに当該エリアに対して横方向に配置されたエリアを含む行Ｌ４を、領域ＰＬＨ及びＰＲＨの輝度（最大輝度）の少なくともいずれかに対応する明るさで発光させる。このとき、バックライト制御部１２は、行Ｌ４全体が単一の、短冊状のエリアであるかのようにバックライト２０を制御する。
【００５３】
この場合、表示装置１においては、第１画像を表示する場合と第２画像を表示する場合とで行Ｌ４の明るさは変化しないため、左目用画像及び右目用画像を連続して交互に見る場合におけるチラつきが抑制される。また、行Ｌ４においてバックライト２０の明るさがフレームごとに変化することがなくなるため、バックライト２０の負荷も低減される。
【００５４】
さらに、領域ＰＬＨ及びＰＲＨはいずれも行Ｌ４に含まれる。このため、第１画像を表示する場合と第２画像を表示する場合との双方において、バックライト制御部１２は、領域ＰＬＨ及びＰＲＨに対応するエリアを、最大輝度に対応する適切な明るさで発光させることができる。
【００５５】
特に、バックライト制御部１２は、行Ｌ４以外のそれぞれの行についても、当該行における最大輝度に対応する明るさで発光させる。したがって、バックライト制御部１２は、行Ｌ１〜Ｌ５がそれぞれ単一の、短冊状のエリアであるかのようにバックライト２０を制御する。バックライト制御部１２がバックライト２０をこのように制御することで、バックライト２０の各エリアの明るさは、第１画像を表示する場合と第２画像を表示する場合との双方で変化しない。したがって、表示装置１においては、左目用画像及び右目用画像を連続して交互に見る場合におけるチラつきが更に抑制される。
【００５６】
（変形例）
上述した実施形態では、本発明の一態様に係る表示装置１は、液晶テレビ１００備えられていた。しかし、本発明の一態様に係る表示装置１は、例えばスマートフォンまたは他のモバイル端末といった、バックライトを備える画面を有する情報端末に備えられてもよい。
【００５７】
また、本発明の一態様に係る表示装置は、第１視点用の一連の画像及び第２視点用の一連の画像を交互に表示することによって立体視可能な動画像を表示する表示装置であればよい。すなわち、第１視点用の一連の画像及び第２視点用の一連の画像は、左目用画像及び右目用画像に限定されない。
【００５８】
また、本発明の一態様に係る表示装置は、直下型のバックライト２０の代わりにエッジ型のバックライトを備えていてもよい。例えば、本発明の一態様に係る表示装置は、図６に示した行Ｌ１〜Ｌ５のそれぞれに対応する横長の導光板と、当該導光板の端部に配置された光源とを備える構成としてもよい。このような構成でも、図６に示したように、バックライトを行ごとに制御できる。換言すれば、表示対象画像における最大輝度の位置に対応するエリアと、当該エリアに対して横方向に配置されたエリアとを、当該最大輝度に対応する明るさにて発光させることができる。
【００５９】
また、上述した実施形態では、点灯制御部５は、映像信号を参照して当該映像信号が３Ｄ映像の映像信号であるか判定し、バックライト制御部１２は当該判定結果に基づいてバックライト２０を制御した。しかし、本発明の一態様においては、映像信号が３Ｄ映像であるかを示す情報、またはバックライト２０の制御方法を指定する情報が映像信号に付加されていてもよい。この場合、点灯制御部５は、当該情報に基づいてバックライト２０を制御すればよい。
【００６０】
また、上述した実施形態では、点灯制御部５は、映像信号を参照して、最高輝度に対応するバックライト２０のエリアを特定した。しかし、本発明の一態様においては、最高輝度に対応するバックライト２０のエリアの情報が映像信号に付加されていてもよい。この場合、点灯制御部５は、当該情報を参照して最高輝度に対応するバックライト２０のエリアを特定すればよい。
【００６１】
また、第１画像と第２画像との相違は、視点の相違に起因するものである。このため、第１画像における最大輝度に対応するエリアと、第２画像における最大輝度に対応するエリアとは、互いに横方向に配置されている可能性が高い。
【００６２】
したがって、本発明の一態様において、バックライト制御部１２は、第１画像及び第２画像のいずれか一方のみを参照して、当該第１画像または第２画像の最大輝度に対応するバックライト２０のエリアを特定してもよい。さらにバックライト制御部１２は、特定したエリアと、当該エリアに対して横方向に配置されたエリアとを、上記最大輝度に対応する明るさにて発光させてもよい。
【００６３】
〔実施形態２〕
本発明の他の実施形態について、図７及び図８に基づいて説明すれば、以下のとおりである。なお、説明の便宜上、前記実施形態にて説明した部材と同じ機能を有する部材については、同じ符号を付記し、その説明を省略する。
【００６４】
（バックライト制御部１２Ａの構成）
図７は、本実施形態に係るバックライト制御部１２Ａの構成を示すブロック図である。バックライト制御部１２Ａは、点灯制御部５の代わりに点灯制御部５Ａを備える点でバックライト制御部１２と相違する。
【００６５】
実施形態１において説明した通り、点灯制御部５は、第１画像及び第２画像の少なくともいずれかの最大輝度の位置に対応するエリアを含む行とは異なる行の各エリアの点灯周期についても、当該行の最大輝度に対応するエリアの点灯周期と同じに設定した。これに対し、本実施形態の点灯制御部５Ａは、そのような処理を行わない。
【００６６】
すなわち、点灯制御部５Ａは、第１画像及び第２画像の少なくともいずれかの最大輝度の位置に対応するエリアを含む行とは異なる行の各エリアの点灯周期については、当該エリアに対応する位置における画像の輝度に応じて設定する。したがって、バックライト制御部１２Ａは、バックライト２０を構成する複数のエリアのうち、最大輝度の位置に対応するエリアと当該エリアに対して横方向に配置されたエリアとを含む１行分のエリアとは異なる１行に含まれる各エリアの明るさを、当該エリアに対応する位置における画像の輝度に応じて設定する。
【００６７】
（バックライト制御部１２Ａにおける処理）
図８は、バックライト制御部１２Ａにおける処理の流れを示すフローチャートである。図８に示すように、バックライト制御部１２Ａにおける処理は、バックライト制御部１２における処理と比較して、ステップＳ５及びＳ６の処理を行わない点で相違する。
【００６８】
（効果）
バックライト制御部１２Ａによれば、最大輝度の位置に対応するエリアを含む１行分のエリアとは異なる１行に含まれる各エリアを、当該行における最大輝度に対応する明るさで発光させる場合と比較して、当該行における最大輝度に対応するエリア以外の明るさを抑制することができる。
【００６９】
したがって、バックライト制御部１２Ａによれば、バックライト制御部１２と比較して、バックライト２０の消費電力を低減することができる。ただし、バックライト制御部１２Ａによる制御では、最大輝度の位置に対応するエリアを含む１行分のエリア以外については、第１画像を表示する場合と第２画像を表示する場合とでバックライトの明るさが変動する可能性がある。このため、バックライト制御部１２Ａによる制御では、バックライト制御部１２による制御と比較して、映像にチラつきが発生する虞が大きくなる。
【００７０】
（変形例）
なお、上述した例では、バックライト制御部１２Ａは、第１画像及び第２画像の少なくともいずれかの最大輝度の位置に対応するエリアを含む行のみ、当該最大輝度に対応する明るさにて発光させた。しかし、本発明の一態様において、バックライト制御部１２Ａは、最大輝度の位置に対応するエリアを含む行以外の行を、当該行における最大輝度に対応する明るさにて発光させてもよい。
【００７１】
例えば、バックライト制御部１２Ａは、バックライト２０を構成するエリアの行ごとに、当該行に対応する画素の最大輝度を特定してもよい。そして、バックライト制御部１２Ａは、当該最大輝度が所定の閾値を超える行全てについて、当該行に含まれるエリアを、当該行の最大輝度の位置に対応する明るさにて発光させてもよい。この場合において、所定の閾値は、定数であってもよく、第１画像または第２画像の少なくともいずれかの輝度の平均など（例えば平均及び偏差）に基づいて算出される値であってもよい。
【００７２】
また、バックライト制御部１２Ａは、それぞれの行に、当該行に対応する画素の最大輝度に基づいて順位付けを行ってもよい。そして、バックライト制御部１２Ａは、上位から所定の数の行について、当該行に含まれるエリアを、当該行の最大輝度の位置に対応する明るさにしてもよい。
【００７３】
〔実施形態３〕
本発明の他の実施形態について、図９及び図１０を参照して以下に説明する。
【００７４】
（バックライト制御部１２Ｂの構成）
図９は、本実施形態に係るバックライト制御部１２Ｂの構成を示すブロック図である。バックライト制御部１２Ｂは、バックライト制御部１２の構成に加えて、判別部４を更に備える。
【００７５】
判別部４は、動画像を立体視するための３Ｄメガネ３０をユーザが装着しているか否かを判別する。本実施形態では、３Ｄメガネ３０は、動画像を立体視可能なオン状態と、動画像を立体視不可能なオフ状態とを切り換え可能である。また、３Ｄメガネ３０は、オン状態またはオフ状態のいずれの状態であるかを示す信号を出力可能である。
【００７６】
判別部４は、３Ｄメガネが出力した信号を参照して、ユーザが３Ｄメガネ３０を装着しているか否かを判別する。具体的には、判別部４は、３Ｄメガネ３０がオン状態であることを示す信号を受信部により受信した場合に、ユーザが３Ｄメガネ３０を装着していると判別する。逆に、判別部４は、３Ｄメガネ３０がオフ状態であることを示す信号を受信部により受信した場合に、ユーザが３Ｄメガネ３０を装着していないと判別する。バックライト制御部１２Ｂは、判別部４による判別結果に応じて、第１画像を表示する場合及び第２画像を表示する場合の双方において、バックライト２０を構成する複数のエリアのうち、第１画像及び第２画像の少なくとも何れかの画像における最大輝度の位置に対応するエリアと、当該エリアに対して横方向に配置されたエリアとを、上記最大輝度に対応する明るさにて発光させる。
【００７７】
（バックライト制御部１２Ｂにおける処理）
図１０は、バックライト制御部１２Ｂにおける処理の流れを示すフローチャートである。図１０に示すように、バックライト制御部１２Ｂにおける処理は、バックライト制御部１２における処理と比較して、ステップＳ２の前にステップＳ１１を実行する点で相違する。
【００７８】
バックライト制御部１２Ｂにおいては、まず、バックライト制御部１２における処理と同様、点灯制御部５がバックライト２０を構成する各エリアにおけるバックライト２０の点灯周期及び点灯タイミングを設定する（Ｓ１）。次に、判別部４が、ユーザが３Ｄメガネ３０を装着しているか否か判別する（Ｓ１１）。
【００７９】
判別部４が、ユーザが３Ｄメガネ３０を装着していないと判別した場合（Ｓ１１でＮＯ）、バックライト制御部１２Ｂは、バックライト制御部１２と同様に、ステップＳ２以降の処理を実行する。一方、判別部４が、ユーザが３Ｄメガネ３０を装着していると判別した場合（Ｓ１１でＹＥＳ）、バックライト制御部１２Ｂは、ステップＳ２〜Ｓ６の処理をスキップして、ステップＳ７〜Ｓ１０の処理を実行する。
【００８０】
（効果）
ユーザが３Ｄメガネ３０を装着している場合には、実施形態１などで説明したチラつき低減のための処理を実行しなくても、ユーザが見る映像にチラつきが発生する虞は小さい。そこで、バックライト制御部１２Ｂは、ユーザが３Ｄメガネ３０を装着していると判別部４が判別した場合には、３Ｄメガネ３０を装着していないユーザに対するチラつき低減のための処理を実行しない。これにより、バックライト制御部１２Ｂは、ユーザが３Ｄメガネ３０を装着している場合における処理量を、バックライト制御部１２における処理量と比較して削減できる。
【００８１】
（変形例）
上述した例では、判別部４は、３Ｄメガネ３０のオン状態及びオフ状態を示す信号の両方を参照して、ユーザが３Ｄメガネ３０を装着しているか判別した。しかし、判別部４は、３Ｄメガネ３０のオン状態及びオフ状態を示す信号のいずれか一方のみを参照して、ユーザが３Ｄメガネ３０を装着しているか判別してもよい。
【００８２】
例えば、判別部４が３Ｄメガネ３０のオン状態を示す信号のみを参照する場合、判別部４は、３Ｄメガネ３０のオン状態を示す信号を受信している場合にユーザが３Ｄメガネ３０を装着していると判別する。一方、判別部４は、３Ｄメガネ３０のオン状態を示す信号を受信していない場合にユーザが３Ｄメガネ３０を装着していないと判別する。
【００８３】
また、上述した例では、判別部４は、３Ｄメガネ３０のオン状態またはオフ状態を示す信号を参照して、ユーザが３Ｄメガネ３０を装着しているか判別した。しかし、本発明の一態様においては、判別部４は、上記信号とは別の情報を参照してユーザが３Ｄメガネ３０を装着しているか判別してもよい。
【００８４】
例えば、判別部４は、ユーザの光学画像を参照してユーザが３Ｄメガネ３０を装着しているか判別してもよい。この場合、判別部４を備える液晶テレビは、ユーザの光学画像を撮像する撮像装置を備えるか、またはユーザの光学画像を撮像する撮像装置と接続されている。判別部４は、上記撮像装置により撮像されたユーザの光学画像を参照し、画像認識により３Ｄメガネ３０を装着しているか判別すればよい。
【００８５】
また、本実施形態に係る液晶テレビに、複数のユーザが存在することが考えられる。複数のユーザのうち一部が３Ｄメガネ３０を装着していることを判別部４が判別した場合、他のユーザが３Ｄメガネ３０を装着していない場合であっても、バックライト制御部１２Ｂは、図１０におけるステップＳ２以降の処理を実行しない虞がある。
【００８６】
そこで、本実施形態に係る液晶テレビは、近傍に存在する人物を検出する人感センサを更に備えていてもよい。この場合、判別部４は、人感センサによる人物の検出と、上述した信号または画像などによる、ユーザが３Ｄメガネ３０を装着しているか否かの判別とを組み合わせることで、３Ｄメガネ３０を装着していないユーザの有無を判別することができる。
【００８７】
また、上述したバックライト制御部１２Ｂは、バックライト制御部１２に判別部４が追加された構成を有する。しかし、本発明の一態様において、バックライト制御部１２Ｂは、バックライト制御部１２Ａに判別部４が追加された構成を有していてもよい。
【００８８】
〔実施形態４〕
本発明の他の実施形態について、図１１を参照して以下に説明する。
【００８９】
（バックライト制御部１２Ｃの構成）
図１１は、本実施形態に係るバックライト制御部１２Ｃの構成を示すブロック図である。バックライト制御部１２Ｃは、バックライト制御部１２の構成に加えて、操作受付部３（ユーザ操作受付部）をさらに備える。
【００９０】
操作受付部３は、ユーザからの操作を受け付ける。本実施形態では、操作受付部３が受け付ける操作は、実施形態１などで説明したステップＳ２〜Ｓ６までの処理をバックライト制御部１２Ｃに実行させるか否かを選択する操作を含む。バックライト制御部１２Ｃは、操作受付部３が受け付けたユーザ操作に応じて、第１画像を表示する場合、及び、第２画像を表示する場合の双方において、バックライト２０を構成する複数のエリアのうち、第１画像及び第２画像の少なくとも何れかの画像における最大輝度の位置に対応するエリアと、当該エリアに対して横方向に配置されたエリアとを、上記最大輝度に対応する明るさにて発光させる。
【００９１】
なお、本発明の一態様において、操作受付部は、ステップＳ２〜Ｓ４の処理をバックライト制御部１２Ｃに実行させるか否かを選択する操作と、ステップＳ５及びＳ６の処理をバックライト制御部１２Ｃに実行させるか否かを選択する操作とを別々に受け付けてもよい。この場合、ユーザは、
・ステップＳ２〜Ｓ６の処理を実行しない、
・ステップＳ２〜Ｓ４の処理のみ実行する（実施形態２）、
・ステップＳ２〜Ｓ６の処理を実行する（実施形態１）、
の３通りの処理を選択することができる。
【００９２】
（効果）
バックライト制御部１２Ｃによれば、３Ｄメガネ３０を装着していないユーザに対するチラつき低減のための処理を実行するか否かを、ユーザが任意に決定することができる。
【００９３】
（変形例）
上述した例では、バックライト制御部１２Ｃは、バックライト制御部１２に操作受付部３が追加された構成を有する。しかし、バックライト制御部１２Ｃは、バックライト制御部１２Ａに操作受付部３が追加された構成を有してもよい。
【００９４】
〔ソフトウェアによる実現例〕
表示装置１の制御ブロック（特に表示制御部１１及びバックライト制御部１２、１２Ａ、１２Ｂ、１２Ｃ）は、集積回路（ＩＣチップ）等に形成された論理回路（ハードウェア）によって実現してもよいし、ＣＰＵ（Central Processing Unit）を用いてソフトウェアによって実現してもよい。
【００９５】
後者の場合、表示装置１は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９６】
〔まとめ〕
本発明の態様１に係る表示装置（１）は、第１視点用の一連の画像及び第２視点用の一連の画像を交互に表示することによって立体視可能な動画像を表示する表示装置において、複数のエリアから構成され、当該複数のエリアの明るさを個別に制御可能なバックライト（２０）と、上記バックライトを制御するバックライト制御部（１２など）とを備え、上記バックライト制御部は、上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させる。
【００９７】
上記の構成によれば、表示装置は、バックライトと、当該バックライトを制御するバックライト制御部とを備える。表示装置が（ｉ）第１視点用の一連の画像に含まれる第１の対象画像を表示する場合、及び（ｉｉ）第１の対象画像に対応する画像であって、第２視点用の一連の画像に含まれる第２の対象画像を表示する場合、の双方において、バックライト制御部は、バックライトを構成する複数のエリアのうち、第１の対象画像及び第２の対象画像の少なくとも何れかの画像における最大輝度の位置に対応するエリアを、上記最大輝度に対応する明るさにて発光させる。更に、上記（ｉ）及び（ｉｉ）の場合の双方において、バックライト制御部は、第１の対象画像及び第２の対象画像の少なくとも何れかの画像における最大輝度の位置に対応するエリアに対して横方向に配置されたエリアを、上記最大輝度に対応する明るさにて発光させる。
【００９８】
第１の対象画像を表示する場合と第２の対象画像を表示する場合とで、上記エリアの明るさが変化しないため、映像のチラつきが抑制される。また、第１の対象画像と第２の対象画像とで、最大輝度に対応する位置が横方向に変動する場合であっても、上記最大輝度に対応するエリアは変化しない。したがって、第１の対象画像及び第２の対象画像の両方における最大輝度に対応するエリアを、上記最大輝度に対応する明るさで発光させることができる。
【００９９】
本発明の態様２に係る表示装置は、上記態様１において、上記バックライト制御部は、上記複数のエリアのうち、上記最大輝度の位置に対応するエリアと当該エリアに対して横方向に配置されたエリアとを含む１行分のエリアとは異なる１行分のエリアの明るさを、当該異なる１行における、上記第１の対象画像及び上記第２の対象画像の少なくとも何れかの最大輝度に対応する明るさにて発光させてもよい。
【０１００】
上記の構成によれば、（ｉ）及び（ｉｉ）の場合の双方において、バックライトを構成するエリアのそれぞれの行の輝度が、当該行における第１の対象画像及び第２の対象画像の少なくとも何れかの最大輝度に対応する明るさにて発光する。したがって、第１視点用の一連の画像及び第２視点用の一連の画像を連続して交互に見る場合におけるチラつきが更に抑制される。
【０１０１】
本発明の態様３に係る表示装置は、上記態様１において、上記バックライト制御部（１２Ａ）は、上記複数のエリアのうち、上記最大輝度の位置に対応するエリアと当該エリアに対して横方向に配置されたエリアとを含む１行分のエリアとは異なる１行に含まれる各エリアの明るさを、当該エリアに対応する位置における画像の輝度に応じて設定してもよい。
【０１０２】
上記の構成によれば、第１の対象画像及び第２の対象画像の少なくとも何れかの最大輝度に対応するエリアと、当該エリアに対して横方向に配置されたエリアとを含む１行分のエリア以外の輝度は、上記最大輝度より小さい、当該エリアに対応する位置における画像の輝度に応じて設定される。したがって、表示装置の消費電力を低減することができる。
【０１０３】
本発明の態様４に係る表示装置は、上記態様１から３のいずれかにおいて、ユーザからの操作を受け付けるユーザ操作受付部（操作受付部３）を更に備え、上記バックライト制御部（１２Ｃ）は、上記ユーザ操作に応じて、上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させてもよい。
【０１０４】
上記の構成によれば、バックライト制御部は、ユーザ操作受付部が受け付けたユーザからの操作に応じて、第１の対象画像及び第２の対象画像の少なくとも何れかの画像における最大輝度の位置に対応するエリアに対して横方向に配置されたエリアを上記最大輝度に対応する明るさにて発光させるか否かを決定する。したがって、上記最大輝度の位置に対応するエリアに対して横方向に配置されたエリアを上記最大輝度に対応する明るさにて発光させるか否かを、ユーザが選択できる。
【０１０５】
本発明の態様５に係る表示装置は、上記態様１から３のいずれかにおいて、ユーザが３Ｄメガネを装着しているか否かを判別する判別部（４）を更に備え、上記バックライト制御部（１２Ｂ）は、上記判別部による判別結果に応じて、上記第１視点用の一連の画像に含まれる第１の対象画像を表示する場合、及び、当該対象画像に対応する画像であって、上記第２視点用の一連の画像に含まれる第２の対象画像を表示する場合の双方において、上記複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させてもよい。
【０１０６】
上記の構成によれば、バックライト制御部は、ユーザが３Ｄメガネを装着しているか否かの、判別部による判別結果に応じて、第１の対象画像及び第２の対象画像の少なくとも何れかの画像における最大輝度の位置に対応するエリアに対して横方向に配置されたエリアを、上記最大輝度に対応する明るさにて発光させるか否かを決定する。したがって、上記最大輝度の位置に対応するエリアに対して横方向に配置されたエリアを上記最大輝度に対応する明るさにて発光させるか否かをユーザが選択する手間を省略できる。
【０１０７】
本発明の態様６に係る表示装置は、上記態様５において、上記判別部は、上記３Ｄメガネが上記動画像を立体視可能なオン状態と、上記動画像を立体視不可能なオフ状態とのいずれの状態であるかを示す信号を参照して上記ユーザが上記３Ｄメガネを装着しているか否かを判別してもよい。
【０１０８】
上記の構成によれば、判別部は、３Ｄメガネのオン状態またはオフ状態に基づいて、ユーザが３Ｄメガネを装着しているか否かを判別できる。
【０１０９】
本発明の態様７に係る表示装置は、上記態様５において、上記判別部は、上記ユーザの画像を参照して上記ユーザが上記３Ｄメガネを装着しているか否かを判別してもよい。
【０１１０】
上記の構成によれば、判別部は、ユーザの画像により、ユーザが３Ｄメガネを装着しているか否かを判別できる。
【０１１１】
本発明の態様８に係る表示装置は、上記態様１から７のいずれかにおいて、上記第１視点用の一連の画像及び上記第２視点用の一連の画像は、ＨＤＲ（High Dynamic Range）規格に準拠した画像であることが好ましい。
【０１１２】
上記の構成によれば、高輝度・高コントラストな動画像を立体視可能になる。
【０１１３】
本発明の態様９に係るテレビジョン受像機（液晶テレビ１００）は、上記態様１から８のいずれかの表示装置を備えている。
【０１１４】
上記の構成によれば、態様１と同様の効果を奏する。
【０１１５】
本発明の態様１０に係る表示方法は、第１視点用の一連の画像及び第２視点用の一連の画像を交互に表示することによって立体視可能な動画像を表示する表示方法において、上記第１視点用の一連の画像に含まれる第１の対象画像を表示する場合、及び、当該対象画像に対応する画像であって、上記第２視点用の一連の画像に含まれる第２の対象画像を表示する場合の双方において、表示装置が備えるバックライトを構成する複数のエリアのうち、当該第１の対象画像及び当該第２の対象画像の少なくとも何れかの画像における最大輝度の位置に対応するエリアと、当該エリアに対して横方向に配置されたエリアとを、上記最大輝度に対応する明るさにて発光させるステップを含む。
【０１１６】
上記の構成によれば、態様１と同様の効果を奏する。
【０１１７】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、及びそれを記録したコンピュータ読み取り可能な記録媒体も、本発明の範疇に入る。
【０１１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。更に、各実施形態にそれぞれ開示された技術的手段を組み合わせることにより、新しい技術的特徴を形成することができる。
【符号の説明】
【０１１９】
１  表示装置
３  操作受付部（ユーザ操作受付部）
４  判別部
１２、１２Ａ、１２Ｂ、１２Ｃ  バックライト制御部
２０  バックライト
１００  液晶テレビ（テレビジョン受像機）
【図１】
2018113655.tif 000003
【図２】
2018113655.tif 000004
【図３】
2018113655.tif 000005
【図４】
2018113655.tif 000006
【図５】
2018113655.tif 000007
【図６】
2018113655.tif 000008
【図７】
2018113655.tif 000009
【図８】
2018113655.tif 000010
【図９】
2018113655.tif 000011
【図１０】
2018113655.tif 000012
【図１１】
2018113655.tif 000013